(57)【要約】      （修正有）【課題】使い方に合わせて、自由に祈願、決意、メッセージ等を書き込むことができ、その達磨を見た人へのより強いアピールと、奮起を促すこと等ができる達磨を提供する。【解決手段】頭部に鉢巻を模した帯状の書込み部２が形成されている達磨１を構成する。書込み部２は空欄になっているので、ここに自由に祈願等を書き込むことができる。また、腹部に第２の書込み部３が形成することにより、様々な書込みをすることができる。更に、頭部に帯状の書込み部を有する達磨を模したマーク１０を構成することにより、飲食物、贈答品等の容器や包装に、印刷したり、貼り付けたりすることができる。【選択図】図１
0003132206.tif 000002
【実用新案登録請求の範囲】
【請求項１】
頭部に鉢巻を模した帯状の書込み部が形成され、この書込み部に祈願、決意、メッセージなどの書込みをすることができるようにしたことを特徴とする達磨。
【請求項２】
頭部に鉢巻を模した帯状の書込み部が形成され、腹部に第２の書込み部が形成され、この書込み部及び第２の書込み部に祈願、決意、メッセージなどの書き込みをすることができるようにしたことを特徴とする達磨。
【請求項３】
頭部に帯状の書込み部を有する達磨を模したマークであり、この書込み部に祈願、決意、メッセージなどの書き込みをすることができるようにしたことを特徴とする達磨を模したマーク。
【考案の詳細な説明】
【技術分野】
【０００１】  本考案は、置物としての達磨、又は、食品の包装容器等に貼り付けられる達磨を模したマークに関するものである。
【背景技術】
【０００２】  特許文献１には、達磨の腹部に平滑なシール貼り部を形成することによって、シール貼り部への文字の書き込み易さを向上させ、或いはシールを貼り付ける際に皺がよらない等の効果を奏する考案が提示されている。
【特許文献１】実開昭６２−１０７８８６
【考案の開示】
【考案が解決しようとする課題】
【０００３】  それぞれの使い方に合わせて、自由に書き込むことができ、その達磨を見た人へより強くアピールし、奮起等を促すことができる達磨を提供することを課題とする。
【課題を解決するための手段】
【０００４】  頭部に鉢巻を模した帯状の書込み部が形成され、この書込み部に祈願、決意、メッセージなどの書込みをすることができるようにしたことを特徴とする達磨を構成する。頭部に鉢巻を模した帯状の書込み部が形成され、腹部に第２の書込み部が形成され、この書込み部および第２の書込み部に祈願、決意、メッセージなどの書込みをすることができるようにしたことを特徴とする達磨を構成する。【０００５】  頭部に帯状の書込み部を有する達磨を模したマークを構成し、この書込み部に祈願、決意、メッセージなどの書込みをすることができるようにした達磨を模したマークを構成する。このマークは飲食物等の包装や容器に、印刷又は貼り付けることができる。
【考案の効果】
【０００６】  本考案の達磨によれば、達磨の頭部に鉢巻を模した帯状の書込み部が形成されており、この書込み部に、任意に願い事、決意、その他の文言を記入することができ、使用者の奮起を促しやすく、見た人へより強くアピールすることができる。
【考案を実施するための最良の形態】
【０００７】  頭部に鉢巻を模した帯状の書込み部が形成されていることを特徴とする達磨を構成する。頭部に帯状の書込み部を有する達磨を模したマークを構成する。
【実施例】
【０００８】  図１は、本考案の達磨を示す図である。達磨１の製造方法は、新聞紙などの紙で達磨の原型を作り、それに塗料を塗って製造してもよいし、プラスチック等で形成してもよい。達磨１の頭部には、白帯状の書込み部２が形成されている。この書込み部２は鉢巻を模してある。書込み部２の色は白の他、着色を施しても良いが、書かれた文字等が映える程度であることが望ましい。なお図示は省略するが、書込み易くするために、鉢巻の結び目は後頭部に配置している。また、鉢巻を模した書込み部２は、達磨１と一体的に形成している。達磨１の腹部には第２の書込み部３が形成されている。書き込み部３は白色であり、ここにも書込みできる。【０００９】  書込み部２若しくは第２の書込み部３は空欄の状態で出荷され、使用者が任意に文言を書き入れることができる。図１においては、書込み部２や、第２の書込み部３に記入する文例としては、「合格」「がんばれ○○君」「夢」「飛躍」「必勝」「目標必達」「社内安全」「交通安全」「お見事」等のように、祈願、決意、メッセージ、名前等の文言や、その他、記号や図形等、任意に記入できる。【００１０】  図２は第２の実施例であり、本考案の達磨を模したマーク１０をカップ状の容器１１に印刷した状態を示す図である。マーク１０は、達磨を模してあり、またデフォルメも加わっている。マーク１０における頭部には白帯状の書込み部２が形成されており、マーク１０における腹部には第２の書込み部３が形成されている。図２の例では、カップ状の容器１１に付した例であるが、このようなマーク１０は、シール、バッジ、ワッペン、または、印刷、刺繍等でよく、容器の他に、贈答品の包装紙や、封筒、ポスター等として手軽に利用することができる。マーク１０の書込み部２や第２の書込み部３に、任意に祈願、決意、メッセージ等を書き入れることができるのは、上述した図１の説明と同様である。図２は祈願等が書き込まれていない状態である。
【産業上の利用可能性】
【００１１】  任意に祈願、決意、メッセージ等を書き込むことができるので、各個人の目的に合致した利用しやすい達磨を提供することができる。
【図面の簡単な説明】
【００１２】
【図１】本考案の達磨を示す図である。
【図２】本考案の達磨を模したマークをカップ状の容器に印刷した状態を示す図である。
【符号の説明】
【００１３】  １  達磨
２  書込み部
３  第２の書込み部
１０  マーク
１１  容器
【図１】
0003132206.tif 000003
【図２】
0003132206.tif 000004
【手続補正書】
【提出日】平成19年1月15日(2007.1.15)
【手続補正１】
【補正対象書類名】実用新案登録請求の範囲
【補正対象項目名】請求項３
【補正方法】削除
【補正の内容】
【手続補正３】
【補正対象書類名】明細書
【補正対象項目名】０００１
【補正方法】変更
【補正の内容】
【０００１】  本考案は、置物としての達磨に関するものである。
【手続補正４】
【補正対象書類名】明細書
【補正対象項目名】０００５
【補正方法】削除
【補正の内容】
【手続補正５】
【補正対象書類名】明細書
【補正対象項目名】０００７
【補正方法】変更
【補正の内容】
【０００７】  頭部に鉢巻を模した帯状の書込み部が形成されていることを特徴とする達磨を構成する。
【手続補正書】
【提出日】平成19年3月22日(2007.3.22)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
頭部に鉢巻を模した帯状の書込み部が形成され、この書込み部に祈願、決意、メッセージなどの書込みをすることができるようにしたことを特徴とする達磨。
【請求項２】
頭部に鉢巻を模した帯状の書込み部が形成され、腹部に第２の書込み部が形成され、この書込み部及び第２の書込み部に祈願、決意、メッセージなどの書き込みをすることができるようにしたことを特徴とする達磨。